【手続補正書】
【提出日】平成16年4月6日(2004.4.6)
【手続補正１】
【補正対象書類名】明細書
【補正対象項目名】特許請求の範囲
【補正方法】変更
【補正の内容】
【特許請求の範囲】
【請求項１】
約650〜715nmの波長範囲内の光を吸収し、約670〜720nmの波長範囲内の光を放出する、少なくとも１つの未錯化不可視金属フタロシアニン蛍光体を含有する不可視染料；水と少なくとも１つの有機溶剤とから成るインクビヒクル；とからなる不可視インク組成物。
【請求項２】
クロロアルミニウム(III)フタロシアニンテトラスルホン酸及びその塩から成る群より選ばれるフタロシアニン蛍光体を含有する不可視染料；及び水と少なくとも１つの有機溶剤とから成るインクビヒクル；を含む不可視インク組成物。
【請求項３】
クロロアルミニウム(III)フタロシアニンテトラスルホン酸及びその塩から成る群より選ばれるフタロシアニン蛍光体と、１,５-ペンタンジオール、２-エチル-２-ヒドロキシメチル-１,３-プロパンジオール、１,３-プロパンジオールと、少なくとも１つの界面活性剤と、水とを含む不可視インク組成物。
【請求項４】
約650〜715nmの波長範囲内の光を吸収し、かつ約670〜720nmの波長範囲内の光を放出する、少なくとも１つの未錯化不可視金属フタロシアニン蛍光体を含有する第一不可視染料；少なくとも１つの不可視紫外蛍光体を含有する第二不可視染料；及び水と少なくとも１つの有機溶剤から成るインクビヒクル、とを含む不可視インク組成物。
【請求項５】
クロロアルミニウム(III)フタロシアニンテトラスルホン酸及びその塩から成る群より選ばれるフタロシアニン蛍光体を含有する第一不可視染料；少なくとも１つの紫外蛍光体から成る第二不可視染料；及び水と少なくとも１つの有機溶剤から成るインクビヒクル、とを含む不可視インク組成物。
【請求項６】
クロロアルミニウム(III)フタロシアニンテトラスルホン酸及びその塩から成る群より選ばれるフタロシアニン蛍光体と、ベンゼンスルホン酸-２,２'-（１,２-エテンジイル）ビス［５-［４-［ビス（２-ヒドロキシエチル）アミノ］-６-［（４-スフホフェニル）アミノ］-１,３,５-トリアジン-２-イル］アミノ-テトラナトリウム塩から成る紫外蛍光体と、１,５-ペンタンジオール、２-エチル-２-ヒドロキシメチル-１,３-プロパンジオール、１,３-プロパンジオールと、少なくとも１つの界面活性剤と、水とを含む不可視インク組成物。
【請求項７】
基板(202)上に不可視印刷画像(210)を生成し、その後、該印刷画像(210)に蛍光を発生させる方法において：少なくとも１つのインク保持チャンバー(30)を具備するハウジング(12)を含み、該インク保持チャンバー(30)は不可視インク組成物(32)の供給を具備し、該インク組成物(32)は、約650〜715nmの波長範囲内の光を吸収し、且つ約670〜720nmの波長範囲内の光を放出する少なくとも１つの未錯化不可視金属フタロシアニン蛍光体を含有する不可視染料と、さらに、水及び少なくとも１つの有機溶媒を含むインクビヒクルとを含み；及び前記ハウジング(12)の該インク保持チャンバー(30)に作用的に接続され、該インク保持チャンバー(30)からオンデマンドで前記不可視インク組成物(32)を排出するための少なくとも１つのインクエゼクター(86)からなるプリントヘッド(80)、を含むインク送出しシステム(10)設けること；基板(10)を設けること；前記不可視インク組成物(32)を前記インク保持チャンバー(30)から前記基板(202)へ届けるために前記インク送出しシステム(10)の前記プリントヘッド(80)を起動させること；及び前記不可視インク組成物(32)に約670〜720nmの波長をもつ蛍光(218)を放出させるために、約650〜715nmの波長をもつ光(214)を前記基板上の前記不可視インク組成物(32)に適用すること、を含む方法。
【請求項８】
基板(202)上に不可視印刷画像(210)を生成し、その後、前記印刷画像(210)に蛍光を発生させる方法において：少なくとも１つのインク保持チャンバー(30)を具備するハウジング(12)であって、前記インク保持チャンバー(30)は不可視インク組成物(32)の供給を具備し、前記インク組成物(32)が、クロロアルミニウム(III)フタロシアニンテトラスルホン酸及びその塩から成る群より選ばれるフタロシアニン蛍光体含有の不可視染料と、さらに、水と少なくとも１つの有機溶媒から成るインクビヒクルとを含み；及び前記ハウジング(12)の前記インク保持チャンバー(30)に作用的に接続され、前記インク保持チャンバー(30)からオンデマンドで前記不可視インク組成物(32)を排出するための少なくとも１つのインクエゼクター(86)を含むプリントヘッド(80)、とを含むインク送出しシステム(10)を設けること；基板(202)を設けること；前記不可視インク組成物(32)を前記インク保持チャンバー(30)から前記基板(202)上へ届けるために、前記インク送出しシステム(10)の前記プリントヘッド(80)を起動させ；及び前記基板(20)上の前記不可視インク組成物(32)に、前記不可視インク組成物(32)がそこから蛍光(218)を放出するのに十分な波長をもつ光(214)を適用すること、を含む方法。
【請求項９】
基板(202)上に不可視印刷画像(210)を生成し、その後、前記印刷画像(210)に蛍光を発生させる方法において：少なくとも１つのインク保持チャンバー(30)を具備するハウジング(12)を含み、前記インク保持チャンバー(30)は不可視インク組成物(32)の供給を具備し、前記インク組成物(32)が、約650〜715nmの波長範囲内の光を吸収し、且つ約670〜720nmの波長範囲内の光を放出する、少なくとも１つの未錯化不可視金属フタロシアニン蛍光体から成る第一不可視染料と、少なくとも１つの不可視紫外蛍光体から成る第二不可視染料と、さらに、水及び少なくとも１つの有機溶媒から成るインクビヒクルとを含み；及び前記ハウジング(12)の前記インク保持チャンバー(30)に作用的に接続され、前記インク保持チャンバー(30)からオンデマンドで前記不可視インク組成物(32)を排出するための少なくとも１つのインクエゼクター(86)を含むプリントヘッド(80)、とを含むインク送出しシステム(10)を設けること；基板(202)を設けること；前記不可視インク組成物(32)を前記インク保持チャンバー(30)から前記基板(202)上へ届けるために、前記インク送出しシステム(10)の前記プリントヘッド(80)を起動させること；及び前記基板(202)上の前記不可視インク組成物(32)に、そこから蛍光(218,244)を放出するのに十分な波長をもつ光(214,242)を適用すること、からなる方法。
【請求項１０】
少なくとも１つのインク保持チャンバー(30)を具備むハウジング(12)で、前記インク保持チャンバー(30)が不可視インク組成物(32)の供給を具備し、前記インク組成物(32)が、クロロアルミニウム(III)フタロシアニンテトラスルホン酸及びその塩から成る群より選ばれるフタロシアニン蛍光体含有の不可視染料と、さらに、水及び少なくとも１つの有機溶媒から成るインクビヒクルとを含み；及び前記ハウジング(12)の前記インク保持チャンバー(30)に作用に接続され、前記インク保持チャンバー(30)からオンデマンドで前記不可視インク組成物(32)を排出するための少なくとも１つのインクエゼクター(86)を含むプリントヘッド(80)、を含むインク送出しシステム(10)。